(57)【要約】【課題】コネクタの差し忘れを防止可能な制御基板ボックスを備える遊技機を提供する。【解決手段】コネクタカバー６０に設けたスライド部６３ａがスライドする取付部７０に形成された受入部７１と、受入部７１の底部からコネクタ１９を取り外す方向に湾曲しながら取付コネクタ２４に向けて延出し、先端に配線コードのコネクタ１９と当接可能な当接部７３が設けられた当接部材７２とから付忘れ防止手段を構成し、当接部材７２が阻止状態で受入部７１に侵入して、スライド部６３ａが受入部７１内をスライドすることを阻止する阻止部を有し、コネクタ１９を取付コネクタ２４に取り付けると、当接部７３にコネクタ１９が当接して当接部７３を押し下げ、受入部７１から阻止部７４を退避させた許容状態に変換して、コネクタカバー６０の被着を可能にする。【選択図】図６
2007267772.tif 000002
【特許請求の範囲】
【請求項１】
遊技に使用される電気部品を制御する制御基板と、該制御基板を収容する制御基板ボックスと、備えた遊技機において、
前記制御基板には、前記電気部品から延出する各種配線コードに接続されるコネクタを取り付けることで前記電気部品と当該制御基板とを電気的に接続する取付コネクタを設け、
前記取付コネクタを表出させた状態で前記制御基板を収容する前記制御基板ボックスには、前記表出する取付コネクタ及び該取付コネクタに取り付けた前記コネクタを覆うコネクタカバーを、取り付ける取付部を形成し、
前記コネクタカバーは、前記コネクタを覆うように前記取付部に取り付けた被覆状態において、一部を破壊しないと固着状態を解除できない固着手段により前記制御基板ボックスに固定され、
前記制御基板の取付コネクタに前記配線コードのコネクタを取り付けていない状態では、前記コネクタカバーを前記被覆状態にすることを阻止する阻止状態と、前記制御基板の取付コネクタに前記配線コードのコネクタを取り付けた状態では、前記コネクタカバーを前記被覆状態にすることを許容する許容状態と、に変換可能であって、前記コネクタを前記取付コネクタに取り付けずに前記コネクタカバーを、前記固着手段により前記被覆状態で前記取付部に固定することを防止する付忘れ防止手段を設けたことを特徴とする遊技機。
【請求項２】
前記付忘れ防止手段は、前記コネクタカバーに設けたスライド部がスライドする前記取付部に形成された受入部と、前記受入部の底部から前記コネクタを取り外す方向に湾曲しながら前記取付コネクタに向けて延出し、先端に前記コネクタと当接可能な当接部が設けられた付忘れ防止部材と、からなり、
前記付忘れ防止部材は、前記阻止状態で前記受入部に侵入して、前記スライド部が前記受入部内をスライドすることを阻止する阻止部を有し、
前記コネクタを前記取付コネクタに取り付けると、前記当接部に前記コネクタが当接して当接部を押し下げ、前記受入部から前記阻止部を退避させた前記許容状態に変換するようにしたことを特徴とする請求項１に記載の遊技機。
【請求項３】
前記付忘れ防止部材を制御基板ボックスに対して着脱可能に取り付けたことを特徴とする請求項２に記載の遊技機。
【請求項４】
前記付忘れ防止手段は、前記コネクタカバーの係止部が係止する前記取付部に形成された受入部と、前記取付コネクタと前記受入部とを結ぶ方向に移動可能であると共に、前記取付コネクタ側に付勢され、前記取付コネクタ側の端部に前記コネクタと当接可能な当接部を有する移動部材と、前記移動部材をガイドするガイド部と、からなり、
前記移動部材は、前記阻止状態において前記受入部に侵入して、該受入部に前記コネクタカバーの係止部が係止することを阻止する阻止部を有し、前記コネクタを前記取付コネクタに取り付けると、前記当接部に前記コネクタが当接して前記移動部材を前記受入部側に押圧して、前記受入部から前記阻止部を退避させた前記許容状態に変換するようにしたことを特徴とする請求項１に記載の遊技機。
【請求項５】
前記ガイド部は、ガイド部材に複数形成され、前記制御基板に設けられた前記取付コネクタの数や位置に対応して、前記移動部材を前記ガイド部材の所要のガイド部に配置するようにしたことを特徴とする請求項４に記載の遊技機。
【発明の詳細な説明】
【技術分野】
【０００１】
本発明は、制御基板を収納する制御基板ボックスを備える遊技機に関する。
【背景技術】
【０００２】
従来の遊技機、例えばパチンコ遊技機において、遊技機の裏面側には、遊技機の遊技制御を行う役物制御装置や球排出装置を制御する球排出制御装置等の制御基板を収納した制御基板ボックスが設けられている。
【０００３】
制御基板ボックスは、ＩＣ（集積回路）や抵抗等の各種電子部品が多数実装された制御基板を、合成樹脂製或いは金属製のボックスに収納して、ショート等を防いだり、ほこり等のゴミが侵入しないように保護すると共に不正遊技を防止しており、遊技機の前面枠裏面側に設けられた裏メカベース盤あるいは遊技盤等の裏面側に取り付け可能となっている。
【０００４】
制御基板ボックスは、一般的に、上蓋部材と底蓋部材とを重ね合わせたボックス体になっており、その他の各種装置と電気的に接続するために、制御基板に設けた取付コネクタが、ボックスから表出して設けられており、電気部品から延出する各種配線コードに接続されているコネクタを、前記取付コネクタに取り付けて接続することにより、それぞれに関わる制御が可能となっている。
【０００５】
制御基板ボックスには、遊技制御に関わる制御基板が収納されているので、いたずらや不正行為の対象になり易く、このため制御基板ボックスにおいては、一旦開放されると、開放されたことが分かるように、上蓋部材と底蓋部材との合わせ目に封印シールを貼ったり、あるいは制御基板ボックスの表面をクリアな樹脂により形成して、収納されている制御基板の状態を外部から見えるようにしていた。
【０００６】
これら制御基板ボックスに対して制御基板を収納する際には、まず、制御基板ボックスの底蓋部材に制御基板をネジ等の固定部材にて係止し、この場合金属製の保護部材を設けているときは保護部材も一緒に係止し、その後上蓋部材と底蓋部材を係合させて制御基板ボックスを閉じ、かしめ封印等を施している。
【０００７】
このように、制御基板の取付コネクタに取り付けた配線コードのコネクタを露出させた状態で上蓋部材と底蓋部材とで制御基板を覆うことにより、制御基板ボックスを開放しなくても、各種配線を取付コネクタから着脱できるようになっているため、作業性、安全性の両方を兼ね備えた構成を実現している。
そして、制御基板ボックスを備える遊技機の一例として、例えば、特許文献１に記載された遊技機がある。
【０００８】
【特許文献１】特開２０００−１４０３５４号公報
【０００９】
一方、近年、遊技店で発生している不正行為として、いわゆる「ぶら下がり基板」と称する不正な基板の遊技機への取り付けがある。この「ぶら下がり基板」は、例えば、始動口センサの取り付けられるコネクタと制御基板との間に「ぶら下がり基板」を介在させて不正な信号を入力して大当たりを発生させる基板である。
【００１０】
この「ぶら下がり基板」を遊技機に取り付ける手口は、制御基板の取付コネクタから、始動口センサに接続された接続コードのコネクタを引き抜き、「ぶら下がり基板」にそのコネクタを接続し、「ぶら下がり基板」からのコネクタを制御基板の取付コネクタに接続する方法をとっている。その取り付け作業時間は極めて短時間であり、取り付けられる「ぶら下がり基板」も小型化されているので発見することは容易ではない。
【００１１】
そこで、従来、この種の不正を防止するために、制御基板のコネクタ接続端子取付領域をコネクタカバーで覆い「ぶら下がり基板」が容易に取り付けられないようにした遊技機がある。
【発明の開示】
【発明が解決しようとする課題】
【００１２】
しかし、コネクタカバーが着脱可能に取り付けられているために、不正行為者にコネクタカバーを素早く外す方法を研究されてしまい、「ぶら下がり基板」が簡単に取り付けられてしまっている。また、営業時間以外に「ぶら下がり基板」を取り付けられることもあり、従来のコネクタカバーでは不正を防止することができなかった。
【００１３】
そこで、コネクタカバーを一旦取り付けると、破壊しない限り取り外すことができないようにすることも考えられるが、新台入れ替え時に制御基板の取付コネクタと配線コードのコネクタとを接続した後、コネクタカバーを取り付ける場合に、コネクタを接続するのを忘れてコネクタカバーを取り付けてしまうことがある。この場合には、破壊してコネクタカバーを取り外し、コネクタを差して再びコネクタカバーを取り付けなくてはならなくなる。
【００１４】
しかしながら、コネクタカバーの取り外し回数には上限があり、それを超える場合には、制御基板を交換しなければならない。また、遊技店の監督官庁である警察が立ち会わないとコネクタカバーをはずせない場合には、警察を呼ばなければならない。
【００１５】
また、コネクタの差し忘れで破壊した制御基板がいくつかあると、不正により破壊したものが目立たなくなってしまう。
本発明はかかる点を鑑みてなされたものであり、コネクタの差し忘れを防止可能な制御基板ボックスを備える遊技機を提供することを目的とする。
【課題を解決するための手段】
【００１６】
前記課題を解決するために、請求項１に係る発明は、遊技に使用される電気部品を制御する制御基板と、該制御基板を収容する制御基板ボックスと、備えた遊技機において、前記制御基板には、前記電気部品から延出する各種配線コードに接続されるコネクタを取り付けることで前記電気部品と当該制御基板とを電気的に接続する取付コネクタを設け、前記取付コネクタを表出させた状態で前記制御基板を収容する前記制御基板ボックスには、前記表出する取付コネクタ及び該取付コネクタに取り付けた前記コネクタを覆うコネクタカバーを、取り付ける取付部を形成し、前記コネクタカバーは、前記コネクタを覆うように前記取付部に取り付けた被覆状態において、一部を破壊しないと固着状態を解除できない固着手段により前記制御基板ボックスに固定され、前記制御基板の取付コネクタに前記配線コードのコネクタを取り付けていない状態では、前記コネクタカバーを前記被覆状態にすることを阻止する阻止状態と、前記制御基板の取付コネクタに前記配線コードのコネクタを取り付けた状態では、前記コネクタカバーを前記被覆状態にすることを許容する許容状態と、に変換可能であって、前記コネクタを前記取付コネクタに取り付けずに前記コネクタカバーを、前記固着手段により前記被覆状態で前記取付部に固定することを防止する付忘れ防止手段を設けたことを特徴とする。
【００１７】
請求項２に係る発明は、請求項１に記載の遊技機であって、前記付忘れ防止手段は、前記コネクタカバーに設けたスライド部がスライドする前記取付部に形成された受入部と、前記受入部の底部から前記コネクタを取り外す方向に湾曲しながら前記取付コネクタに向けて延出し、先端に前記コネクタと当接可能な当接部が設けられた付忘れ防止部材と、からなり、前記付忘れ防止部材は、前記阻止状態で前記受入部に侵入して、前記スライド部が前記受入部内をスライドすることを阻止する阻止部を有し、前記コネクタを前記取付コネクタに取り付けると、前記当接部に前記コネクタが当接して当接部を押し下げ、前記受入部から前記阻止部を退避させた前記許容状態に変換するようにしたことを特徴とする。
【００１８】
請求項３に係る発明は、請求項２に記載の遊技機であって、前記付忘れ防止部材を制御基板ボックスに対して着脱可能に取り付けたことを特徴とする。
【００１９】
請求項４に係る発明は、請求項１に記載の遊技機であって、前記付忘れ防止手段は、前記コネクタカバーの係止部が係止する前記取付部に形成された受入部と、前記取付コネクタと前記受入部とを結ぶ方向に移動可能であると共に、前記取付コネクタ側に付勢され、前記取付コネクタ側の端部に前記コネクタと当接可能な当接部を有する移動部材と、前記移動部材をガイドするガイド部と、からなり、前記移動部材は、前記阻止状態において前記受入部に侵入して、該受入部に前記コネクタカバーの係止部が係止することを阻止する阻止部を有し、前記コネクタを前記取付コネクタに取り付けると、前記当接部に前記コネクタが当接して前記移動部材を前記受入部側に押圧して、前記受入部から前記阻止部を退避させた前記許容状態に変換するようにしたことを特徴とする。
【００２０】
請求項５に係る発明は、請求項４に記載の遊技機であって、前記ガイド部は、ガイド部材に複数形成され、前記制御基板に設けられた前記取付コネクタの数や位置に対応して、前記移動部材を前記ガイド部材の所要のガイド部に配置するようにしたことを特徴とする。
【発明の効果】
【００２１】
請求項１に係る発明によれば、コネクタの接続部をコネクタカバーにより被覆して「ぶら下がり基板」等の不正行為を防止可能であるばかりではなく、配線コードのコネクタを制御基板上の取付コネクタに取り付けずにコネクタカバーを被着することができずに、固着手段によりコネクタカバーを制御基板ボックスに固定してしまうことがない。従って、コネクタを接続せずにコネクタカバーを被着して固着手段により固定してしまい、固着手段を破壊してやり直すなどの無駄な作業を確実に防止することができる。
【００２２】
請求項２に係る発明によれば、コネクタカバーをスライドさせて制御基板ボックスに被着することができ、コネクタを接続していないと、コネクタカバーをスライドさせることができない。従って、コネクタの付け忘れを確実に防止することができる。
【００２３】
請求項３に係る発明によれば、コネクタの付け忘れを防止するための付忘れ防止部材を必要に応じて設けることができ、遊技機の機種毎に取付コネクタの数や位置が異なっても、付忘れ防止部材を交換することで対応できる。
【００２４】
請求項４に係る発明によれば、配線コードのコネクタを制御基板上の取付コネクタに差し込むことで、コネクタカバーの被着を妨害している移動部材を受入部から退避させて、コネクタカバーの被着を可能にすることができる。従って、コネクタカバーにより不正行為を防止可能であるばかりではなく、コネクタの付け忘れを確実に防止して、固着手段による固定のやり直しなどの無駄な作業を確実に防止することができる。
【００２５】
請求項５に係る発明によれば、コネクタの付け忘れを防止するための移動部材を、コネクタの位置や数に応じて適宜選択して設けることができる。
【発明を実施するための最良の形態】
【００２６】
制御基板に、電気部品から延出する各種配線コードに接続されるコネクタを取り付けることで前記電気部品と当該制御基板とを電気的に接続する取付コネクタを設け、前記取付コネクタを表出させた状態で前記制御基板を収容する前記制御基板ボックスに、前記表出する取付コネクタ及び該取付コネクタに取り付けた前記コネクタを覆うコネクタカバーを取り付ける取付部を形成し、前記コネクタカバーを前記コネクタを覆うように前記取付部に取り付けた被覆状態において、一部を破壊しないと固着状態を解除できない固着手段によって前記制御基板ボックスに固定し、前記制御基板の取付コネクタに前記配線コードのコネクタを取り付けていない状態では、前記コネクタカバーを前記被覆状態にすることを阻止する阻止状態と、前記制御基板の取付コネクタに前記配線コードのコネクタを取り付けた状態では、前記コネクタカバーを前記被覆状態にすることを許容する許容状態とに変換可能で、前記コネクタを前記取付コネクタに取り付けずに前記コネクタカバーを前記固着手段により前記被覆状態で前記取付部に固定することを防止する付忘れ防止手段を、前記コネクタカバーに設けたスライド部がスライドする前記取付部に形成された受入部と、前記受入部の底部から前記コネクタを取り外す方向に湾曲しながら前記取付コネクタに向けて延出し、先端に前記コネクタと当接可能な当接部が設けられた付忘れ防止部材とから構成し、前記付忘れ防止部材の阻止部が、前記阻止状態で前記受入部に侵入して、前記スライド部が前記受入部内をスライドすることを阻止し、前記コネクタを前記取付コネクタに取り付けると、前記当接部に前記コネクタが当接して当接部を押し下げ、前記受入部から阻止部を退避させた前記許容状態に変換するようにした。
【実施例】
【００２７】
以下、本発明の実施例を、図面を参照して説明する。図１に示すのは、パチンコ遊技を行える遊技機１の正面図で、遊技機本体１ａの側方に遊技球を貸し出すためのプリペイドカードを処理するカードユニット１ｂを備えるものとしてある。
【００２８】
遊技機本体１ａは、機枠２の前面側に額縁状の前面枠３を開閉可能に設け、該前面枠３に開設した窓部の前面側にガラス枠４と開閉扉５を開閉可能に軸着し、窓部の背面側には窓部を塞ぐようにして遊技盤６を装着し、前面枠３の下部前面側に球受皿７と発射操作ハンドル８などを取り付けてある。
【００２９】
また、開閉扉５には遊技球貯留手段として球供給皿９を設け、該球供給皿９より打球発射機構（図示省略）へ供給された遊技球が弾発され、遊技盤６の遊技部６ａ（主として、ガラス枠４の装飾部材４ａにより覆われていない遊技窓部４ｂから遊技者が視認できる状態になっている領域）へ到達する。なお、遊技部６ａには、障害釘が植設されると共に、大型の表示装置６ｂや球の入賞状態が変化する変動入賞装置６ｃといった大型の遊技装置のほか、種々の入賞具や風車が配置されている。
【００３０】
また、プリペイドカードで遊技球を借り受ける場合、カードユニット１ｂのカード挿入口１０にプリペイドカードを挿入すると、そのプリペイドカードでの球貸が可能であれば使用可能な度数が度数表示器１１に表示され、球貸スイッチ１２を操作する毎に単位度数分（例えば、１００円に相当する１度数分）の球貸動作が行われる。なお、カード返却スイッチ１３が操作されると、プリペイドカードがカード挿入口１０より排出される。
【００３１】
上述した遊技機１の裏側には、図２に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤６に設けた遊技装置の動作制御などを行うことで遊技の進行を統括的に制御する遊技制御装置１４、球排出や打球の発射制御を行う排出・発射制御装置１５、各部へ所定の電源を供給する電源装置１６等を適所に設けてある。なお、本実施形態における遊技制御装置１４は、遊技盤６の裏面下方部に装着される遊技盤裏面構成部材１７にワンタッチで着脱可能に取り付けるものとしてある。
【００３２】
次に、上述した遊技制御装置１４の構造について、図３ないし図５に基づいて説明する。なお、遊技制御装置１４は、遊技機本体１ａの裏面側（正確には、遊技盤６の裏面に取り付けられる遊技盤裏面構成部材１７の裏面側）に取り付けられるため、取り付け時には作業者に向う面（正面）が、取り付け後には遊技機１の背面側に位置することとなるが、以下の説明においては、取り付け作業を基準に考え、遊技盤裏面構成部材１７に取り付けられる側を背面、その逆の面を前面として説明する。
【００３３】
図３は本発明における遊技機１が備える遊技制御装置１４の斜視図、図４は後述するコネクタカバーを外した状態の斜視図、図５は分解斜視図、を各々示す。遊技制御装置１４は、例えば、図５に示すように、遊技機１の動作に関わる電気的制御を実行するための電子部品（図示省略）と取付コネクタ２４を実装したほゞ四角形状の制御基板２０を、ベース部材３０と収納部材４０よりなる制御基板ボックス５０に収納したものである。
【００３４】
制御基板ボックス５０は、ほゞ板状のベース部材３０と、該ベース部材３０によって塞がれるほゞ四角形状の開口を一面に有し、該開口より制御基板２０を収納する収納部４０ａを形成した収納部材４０と、これらベース部材３０と収納部材４０とを固着する第１固着手段５３とから構成する。また、５１は、制御基板ボックス開封履歴シールで、第１固着手段５３を開封した履歴を記入し、例えば、開封日、開封者、認印等を記入する。５２は、コネクタカバー開封履歴シールで、後述するコネクタカバーを開封した履歴を記入する。
【００３５】
本実施例で示すベース部材３０および収納部材４０は、透光性の合成樹脂からなるものとし、内部に収容された制御基板２０を外から視認できる。また、制御基板ボックス５０は、平板なベース部材３０を下にして置かれる状態が常態となるので、内部に収納された制御基板２０を基準にした場合、収納部材４０は上部に、ベース部材３０は下部に位置するものとなる。
【００３６】
収納部材４０は、収納部４０ａの奥側から開口縁に向って起立する４つの収納側壁４１を備え、これら収納側壁４１の内側面に沿って制御基板２０が収納されることとなる。一方、ベース部材３０は、ベース部３０ａの周囲に高さの低い周壁部３１が起立している。また、ベース部３０ａには、リブ３０ｂが適宜設けてある。
【００３７】
また、収納部材４０には、収納部４０ａの最奥部であり、制御基板２０のコネクタ実装面２１と対向する上面４２の一部を開口側に向けて膨出させて３つの段部或いは開口部、即ち第１接続部４３、第２接続部４４、第３接続部４５を形成している。具体的には、第１接続部４３は、上辺の長手方向に沿う横長な開口部４３ｂとして形成され、膨出部分に起立壁４３ｃが存在し、コネクタ実装面２１との間を塞いでいる。一方、第２及び第３接続部４４、４５は階段状の段部として形成され、これら第２及び第３接続部４４、４５の収納部４０ａ側には、制御基板２０のコネクタ実装面２１の一部が当接する平坦な制御基板載置部４４ａ，４５ａを各々形成すると共に、制御基板２０に設けた取付コネクタ２４…を挿通するコネクタ挿通開口部４４ｂ，４５ｂを各々設ける。なお、これら第１〜第３接続部４３〜４５は、収納部材４０の正面側（収納部４０ａが開口していない側）から見ると、凹部になる。
【００３８】
制御基板２０のコネクタ実装面２１において、制御基板載置部４４ａ，４５ａに当接しない部位には、当該遊技機１の動作に関わる電気的制御を実行するための電子部品（図示省略）を実装してある。これら電子部品は、実装密度を高めるために、非コネクタ実装面２２（コネクタ実装面２１の裏面）側にも設けられる場合もある。
【００３９】
そして、収納部４０ａの開口が上向きとなるように置いた収納部材４０に対し、上から制御基板２０を落とし込むと、コネクタ実装面２１が、収納側壁４１の先端または制御基板載置部４４ａ，４５ａに当接して、各取付コネクタ２４…が各コネクタ挿通開口部４３ｂ，４４ｂ，４５ｂより外部に露出した状態で、傾くこともなく安定的に保持されるのである。なお、制御基板２０の非コネクタ実装面２２側は、ベース部材３０によって位置決め・保持される。
【００４０】
制御基板２０は、遊技制御プログラムを格納し、検査装置により読み取り可能な固有の識別情報を書換え不能に格納したワンチップマイクロコンピュータ（図示省略）を備えるものとしと、このワンチップマイクロコンピュータの固有識別情報を読み出し可能な検査端子２３を備えている。
【００４１】
また、ベース部材３０及び収納部材４０の適所には、係合手段及び係止手段を適宜に設け、例えばベース部材３０の周壁部３１に係合部３２…を、収納部材４０の収納側壁４１に係止部４１ａ…をそれぞれ設ける。そして，係合部３２と係止部４１ａとを互いに係合させることにより、ベース部材３０と収納部材４０とを互いに取り付けて、制御基板ボックス５０を構成する。
【００４２】
更に、ベース部材３０を収納部材４０に取り付けた後、これらの再分離を困難にする第１固着手段５３として、制御基板ボックス５０の一側辺には、複数（例えば４つ）のカシメ部４８…を設けてある。このカシメ部４８は、取り外し不可能な方法でベース部材３０と収納部材４０とを一体にするためのものである。
【００４３】
ベース部材３０と収納部材４０とを一体にする第１固着手段５３としては、収納部材４０に設けたカシメ部４８…と、これらと対になるようベース部材３０に設けた４つのカシメ受部３５…を用いる。ベース部材３０を収納部材４０に取り付けた状態においては、カシメ部４８のビス孔４８ａからカシメ受部３５のビス穴３５ａが連通し、例えば単方向ネジのビス（図示省略）でカシメ部４８とカシメ受部３５を固定し、更に、カシメ部４８の開口を塞ぐように樹脂製のビス押さえ部材（図示省略）を嵌め込み、例えば超音波溶着によってビス押さえ部材を開口部の内面へ強固に取り付ける。
【００４４】
このように、ビス押さえ部材によってビスが操作されることを困難にすることと併せて、ビス自体もネジ回しで普通に外せないものであることから、カシメ部４８とカシメ受部３５を物理的に損壊させてしまわなければ、ベース部材３０と収納部材４０を分離することができないのである。なお、カシメ部４８とカシメ受部３５は４対設けてあるので、最大で４回の固着が可能であり、また、破損しているカシメ部４８とカシメ受部３５の数から、制御基板ボックス５０を開いた回数を視覚的に確認できる。
【００４５】
本発明においては、制御基板２０のコネクタ実装面２１の一角に形成した第１の接続領域、即ち収納部材４０に開設した第１接続部４３には、コネクタカバー６０を被着する。制御基板２０における第１の接続領域、言い換えると第１接続部４３に対応する位置には、複数の取付コネクタ２４…が列設してある。これらの取付コネクタ２４には、それぞれ、電気部品の配線コードに接続したコネクタ１９を接続する。例えば、装飾ランプ、効果音スピーカ、変動入賞装置としての所謂アタッカー、普通電動役物やチューリップの駆動源等に接続する。なお、制御基板２０と電気部品との接続を中継基板等を介在させて行なっている場合には、中継基板等に接続された配線コードのコネクタを、取付コネクタ２４に接続することになる。
【００４６】
コネクタカバー６０は、第１接続部４３を覆うと共に、収納部材４０に対して着脱可能に被着されるものであるが、一旦被着した場合には、容易に取り外せない、或いは取り外しの痕跡が残るものである。そこで、例えば図３〜図５に示す実施例においては、前記した第１固着手段５３と同様の第２固着手段６９を設けている。即ち、コネクタカバー６０側にカシメ部６８を複数設けると共に、収納部材４０側に対応するカシメ受部４９を複数設け、一つのカシメ部６８から対応するカシメ受部４９に対して、単方向ネジのビスを挿通して、カシメ部６８とカシメ受部４９を固定し、更に、カシメ部６８の開口を塞ぐように樹脂製のビス押さえ部材を嵌め込み、例えば超音波溶着によってビス押さえ部材を開口部の内面へ強固に取り付ける。
【００４７】
このように、ビス押さえ部材によってビスが操作されることを困難にすることと併せて、ビス自体もネジ回しで普通に外せないものであることから、カシメ部６８とカシメ受部４９とからなる第２固着手段６９を物理的に損壊させてしまわなければ、コネクタカバー６０と収納部材４０とを分離することができない。なお、第２固着手段６９、即ちカシメ部６８とカシメ受部４９とは４対設けてあるので、最大で４回の固着が可能であり、また、破損している第２固着手段６９、即ちカシメ部６８とカシメ受部４９の数から、コネクタカバー６０を外した回数を視覚的に確認可能である。
【００４８】
コネクタカバー６０は、例えば、図５や図６に示すように、断面形状がほゞコ字状の横長な部材であり、第１接続部４３の横幅とほゞ同じ長さを有すると共に、取付コネクタ２４に取り付けたコネクタ１９を内部に収納するのに十分な高さ及び幅を有する板状壁部により構成してある。即ち、被着時に、制御基板２０のコネクタ実装面２１に対向する第１板状壁部６１の両側縁からコネクタ実装面２１に向けた第２板状壁部６２及び第３板状壁部６３が延出している。
【００４９】
第２板状壁部６２及び第３板状壁部６３の先端には、外向きに延出する第２スライド部６２ａ及び第３スライド部６３ａが設けてある。即ち、第２板状壁部６２と第２スライド部６２ａとがほゞＬ字状の断面形状となり、第３板状壁部６３と第３スライド部６３ａとがほゞＬ字状の断面形状となる。
【００５０】
また、被着時に上側に位置することになる第２板状壁部６２には、電気部品に接続した配線コードを挿通するためのコード溝６４が開設してある。そして、コネクタカバー６０の一端部は第４板壁部６１ａによって閉塞され、他端部は開口して開口端を形成しており、前記コード溝６４の先端が、この開口端に開口している。従って、開口端側が、コネクタカバー６０を制御基板ボックス５０に被着するときの先端側になる。
【００５１】
更に、第２板状壁部６２には、前記した第２固着手段６９を構成するカシメ受部４９が、図示の実施例では４個突設してある。なお、第３板状壁部６３は、収納部材４０の起立壁４３ｃに対向している。
【００５２】
一方、制御基板ボックス５０には、コネクタカバー６０を取り付けるための取付部７０を設ける。この取付部７０は、図６に示す実施例では、制御基板ボックス５０の第１接続部４３に対応する位置に設けてあり、例えば断面がほゞコ字状に形成された受入部７１が、起立壁４３ｃから突出する係止片７１ａにより形成されている。
【００５３】
受入部７１には、付忘れ防止部材７２を位置させて、付忘れ防止手段を構成する。この付忘れ防止部材７２は、受入部７１の底部から配線コードのコネクタ１９を取り外す方向、例えば上方に湾曲しながら、制御基板２０の取付コネクタ２４に向けて延出し、先端に配線コードのコネクタ１９と当接可能な当接部７３が設けられている。また、付忘れ防止部材７２は、後述する阻止部７４を有している。
【００５４】
付忘れ防止部材７２は、例えば、図５や図６に示す実施例では、制御基板ボックス５０に対して着脱自在に構成してある。そこで、この実施例における付忘れ防止部材７２は、基板部７２ａと、この基板部７２ａから起立する係止部７２ｂと、配線コードのコネクタ１９に当接可能な当接部７３と、第３スライド部６３ａが前記受入部７１内をスライドすることを阻止する阻止部７４とからなる。基板部７２ａは、制御基板２０のコネクタ実装面２１に接触、或いは僅かな隙間で対向し、長手方向に適宜な間隔で切欠部７２ｃを設け、この切欠部７２ｃ内に当接部７３及び阻止部７４が位置している。即ち、当接部７３は、基端が阻止部７４を介して係止部７２ｂに繋がって基板部７２ａと一体である。一方、係止部７２ｂを、収納部材４０の起立壁４３ｃに設けた止着受部４７に嵌着することにより、付忘れ防止部材７２を収納部材４０に対して着脱自在に取り付ける。
【００５５】
そこで、付忘れ防止部材７２は、基板部７２ａの切欠部７２ｃ内に位置し、基端が係止部７２ｂに繋がっており、先端が自由端になっている。この自由端の先端である当接部７３は、上方に向けて湾曲する部位を介して適宜な弾性を備えており、制御基板２０の取付コネクタ２４の側方に臨んでいる。また、当接部７３の反対側である阻止部７４は、受入部７１内に位置している。このため、この状態では、コネクタカバー６０の第３スライド部６３ａが、受入部７１内に侵入することができない、即ち阻止状態にある。
【００５６】
一方、配線コードのコネクタ１９を取付コネクタ２４に差すと、コネクタ１９に設けた突起１９ａが、付忘れ防止部材７２の先端部である当接部７３に当接して、当接部７３を下方に押し下げる。すると、基端側の阻止部７４も押し下げられ、阻止部７４の下面がコネクタ実装面２１に密着する状態となり、受入部７１を形成する係止片７１ａの下面と阻止部７４の上面との間隔が拡がり、この間隔がコネクタカバー６０に設けた第３スライド部６３ａの厚さよりも大きくなる。この状態では、コネクタカバー６０のスライド部６３ａを、受入部７１に挿入することが可能になる。従って、この状態が、コネクタカバー６０を被覆状態にすることを許容する許容状態である。
【００５７】
そこで、コネクタカバー６０を制御基板ボックス５０に取り付けるために、コネクタカバー６０の第３スライド部６３ａを許容状態にある受入部７１に挿入するとともに、第２スライド部６２ａをベース部材３０の周壁部３１の先端に形成した係止片３１ａの内側に係止させ、コネクタカバー６０を第１接続部４３の方向にスライドさせる。
【００５８】
そして、第１接続部４３において複数列設した取付コネクタ２４の何れかに、配線コードのコネクタ１９を差し込まない状態で、コネクタカバー６０を被着しようとすると、コネクタ１９を差し込んでない位置で、コネクタカバー６０の侵入が阻止されることになる。
【００５９】
従って、配線コードのコネクタ１９を、制御基板２０の取付コネクタ２４に差さないと、即ち配線コードを接続しないと、コネクタカバー６０を被着することができず、第２固着手段６９で固定してしまうこともない。
【００６０】
図７はコネクタの付忘れ防止手段の第２実施例を示す斜視図、図８は付忘れ防止手段の作用を説明する要部の断面図である。この実施例において、付忘れ防止手段は、コネクタカバー６０の係止部６５、即ち第３スライド部６３ａが係止する取付部７０に形成された受入部７１と、取付コネクタ２４と受入部７１とを結ぶ方向に移動可能であると共に、取付コネクタ２４側に付勢され、取付コネクタ２４側の端部に配線コードのコネクタ１９と当接可能な当接部８１及び後述する阻止部８４を有する移動部材８０と、移動部材８０をガイドするガイド部９１と、からなっている。なお、受入部７１は、起立壁４３ｃから突出する係止片７１ａによって形成されている。
【００６１】
移動部材８０を取付コネクタ２４と受入部７１とを結ぶ方向にガイドするガイド部９１は、制御基板ボックス５０の第１接続部４３に取り付けてあるガイド部材９０に、適宜な間隔で溝状に形成してある。ガイド部材９０は、例えば、断面形状がＬ字状の部材であって、第１接続部４３の長さに対応する全長を有している。
【００６２】
ガイド部材９０は、制御基板ボックス５０の収納部材４０に着脱可能であって、止着部９２が形成してある。即ち、この止着部９２で、収納部材４０に設けた止着受部４７に取り付けることができる。
【００６３】
移動部材８０は、阻止状態において阻止部８４が受入部７１に侵入して、該受入部７１にコネクタカバー６０の係止部６５が係止することを阻止し、コネクタ１９を取付コネクタ２４に取り付けると、当接部８１にコネクタ１９が当接する。このため、移動部材８０が受入部７１側に押圧されて、受入部７１から阻止部８４を退避させた許容状態に変換する。
【００６４】
また、移動部材８０は、一端に、当接部８１を備えると共に、他端に弾性装着部８２を備えている。弾性装着部８２は、例えば、Ｕ字状に屈曲する部分であって、この部分に付加を掛けた状態で装着することにより生じる反発力で、移動部材８０を所定の方向（取付コネクタ２４の方向）に付勢するものである。
【００６５】
移動部材８０の先端に設けた当接部８１は係止段部８３を備え、通常ではこの係止段部８３が取付コネクタ２４の角部に係止している。また、この状態では、移動部材８０の基端側に形成された阻止部８４が、取付部７０に形成された受入部７１内に突出しているため、コネクタカバー６０を被着することができない（図８（ａ）参照）。
【００６６】
一方、図８（ｂ）に示すように、配線コードを接続すると、即ち取付コネクタ２４にコネクタ１９を差し込むと、コネクタ１９の下端角部が、当接部８１の上端に形成してある斜面８１ａに当接し、この斜面８１ａの作用によって、移動部材８０が付勢力に抗して、基端側に移動する。このとき阻止部８４も、移動部材８０と共に後方へ移動して、受入部７１から退却する。即ち、阻止状態からコネクタカバー６０を受入可能な許容状態に変換する。
【００６７】
そこで、コネクタカバー６０を被着するために、図８（ｃ）に示すように、コネクタカバー６０を挿入すると、受入部７１の係止片７１ａに、コネクタカバー６０の係止部６５が係止する。即ち、第２スライド部６２ａが、ベース部材３０の周壁部３１の先端に形成した係止片３１ａの内側に係止し、第３スライド部６３ａが受入部７１の係止片７１ａの内側に係止する。この係止状態で、コネクタカバー６０を第１接続部４３の方向にスライドさせて被着する。なお、コネクタカバー６０を被着するときには、配線コードをコネクタカバー６０に開設したコード溝６４から外部に引き出しておく。
【００６８】
このような実施例によれば、配線コードのコネクタ１９を、制御基板２０の取付コネクタ２４に差し込んでおかないと、コネクタカバー６０を被着することができない。従って、配線コードの付け忘れを確実に防止することができる。
【００６９】
図９は、付忘れ防止手段の他の実施例における作用の説明図である。この実施例においては、制御基板ボックス５０にコネクタカバー６０を被着する際に、当該コネクタカバー６０をスライドさせることなく、第１接続部４３の上方からコネクタカバー６０を被せるようにしたものである。
【００７０】
そこで、この実施例におけるコネクタカバー６０は、制御基板２０のコネクタ実装面２１に対向する第１板状壁部６１の両側縁からコネクタ実装面２１に向けた第２板状壁部６２及び第３板状壁部６３が延出する、断面形状がほゞコ字状の横長な部材である。また、コネクタカバー６０は、第１接続部４３の横幅とほゞ同じ長さを有すると共に、取付コネクタ２４に取り付けたコネクタ１９を内部に収納するのに十分な高さ及び幅を有している。
【００７１】
そして、コネクタカバー６０を構成している第２板状壁部６２及び第３板状壁部６３の先端には、外向きに突出する第２係止爪６２ｂ及び第３係止爪６３ｂが設けてある。
【００７２】
この実施例においては、コネクタカバー６０を制御基板ボックス５０に被着した状態で、第２板状壁部６２に設けた第２係止爪６２ｂが、ベース部材３０の周壁部３１の先端に形成した係止片３１ａの内側に係止し、第３板状壁部６３に設けた第３係止爪６３ｂが、収納部材４０に設けた取付部７０の受入部７１を形成する係止片７１ａの内側に係止する。このとき、取付コネクタ２４にコネクタ１９が差し込まれていないと、図８に示した実施例と同様に、移動部材８０の基端側に形成された阻止部８４が取付部７０に形成された受入部７１から突出しているため、第３係止爪６３ｂが受入部７１に侵入することができず、この第３係止爪６３ｂが係止しない（図９（ａ）参照）。
【００７３】
一方、図９（ｂ）に示すように、取付コネクタ２４にコネクタ１９を差し込むと、コネクタ１９の下端角部が当接部８１の上端に形成してある斜面８１ａに当接し、この斜面８１ａの作用によって移動部材８０が付勢力に抗して基端側に移動するため、受入部７１から阻止部８４が退却して受入可能な許容状態に変換する。
【００７４】
そこで、コネクタカバー６０を被着すると、第２係止爪６２ｂが、ベース部材３０の周壁部３１の先端に形成した係止片３１ａの内側に係止し、第３係止爪６３ａが受入部７１の係止片７１ａの内側に係止する（図９（ｃ）参照）。なお、配線コードをコネクタカバー６０に開設したコード用の通線切欠６４ａから外部に引き出しておく。
【００７５】
一方、コネクタ１９の付け忘れがあると、移動部材８０の基端側に形成された阻止部８４が取付部７０に形成された受入部７１内に突出しているため、第３係止爪６３ｂが受入部７１の係止片７１ａの内側に係止しないので、コネクタカバー６０を被着することができない。
【００７６】
この実施例によっても、配線コードのコネクタ１９を、制御基板２０の取付コネクタ２４に差し込んでおかないと、コネクタカバー６０を被着することができずに、配線コードの付け忘れを確実に防止することができる。また、コネクタカバー６０をスライドさせる必要がないので、狭い空間でも容易に作業可能である。
【００７７】
以上本発明を図面の実施例について説明したが、本発明は前記した各実施例に限定されるものではなく、特許請求の範囲に記載した構成を変更しない限り適宜に実施できる。例えば、パチンコ機ばかりではなく、スロットマシン等、他の遊技機にも適用可能である。また、取付コネクタが制御基板上に散在している場合には、コネクタカバーを制御基板とほゞ同じ大きさに形成し、このコネクタカバーにより、制御基板に実装された電子部品と共に取付コネクタを覆うようにしてもよい。
【図面の簡単な説明】
【００７８】
【図１】遊技機の一例であるパチンコ機の正面図である。
【図２】遊技機の一例であるパチンコ機の背面図である。
【図３】制御基板を収納する制御基板ボックスの斜視図であり、コネクタカバーを被着した状態である。
【図４】コネクタカバーの外した状態の制御基板ボックスの斜視図である。
【図５】制御基板ボックスの分解状態の斜視図である。
【図６】一実施例による付忘れ防止手段の説明図である。
【図７】他の実施例による付忘れ防止手段を備える制御基板ボックスの分解斜視図である。
【図８】他の実施例による付忘れ防止手段の説明図である。
【図９】更に他の実施例による付忘れ防止手段の説明図である。
【符号の説明】
【００７９】
１  遊技機
１４  遊技制御装置
１９  コネクタ
２０  制御基板
２１  コネクタ実装面
２２  非コネクタ実装面
２４  取付コネクタ
３０  ベース部材
３１  周壁部
３５  カシメ受部
４０  収納部材
４１  収納側壁
４３  第１接続部
４４  第２接続部
４５  第３接続部
４７  止着受部
４８  カシメ部
４９  カシメ受部
５０  制御基板ボックス
５３  第１固着手段
６０  コネクタカバー
６１  第１板状壁部
６２  第２板状壁部
６３  第３板状壁部
６４  コード溝
６５  係止部
６８  カシメ部
６９  第２固着手段
７０  取付部
７１  受入部
７２  付忘れ防止部材
７３  当接部
７４  阻止部
８０  移動部材
８１  当接部
８２  弾性装着部
８３  係止段部
８４  阻止部
９０  ガイド部材
９１  ガイド部
９２  止着部
【図１】
2007267772.tif 000003
【図２】
2007267772.tif 000004
【図３】
2007267772.tif 000005
【図４】
2007267772.tif 000006
【図５】
2007267772.tif 000007
【図６】
2007267772.tif 000008
【図７】
2007267772.tif 000009
【図８】
2007267772.tif 000010
【図９】
2007267772.tif 000011